(57)【要約】【課題】下半身全体を効率的に保温することができ、かつ、保温した状態で、起立したり、歩行することのできる保温具を提供すること。【解決手段】保温具１を、平布状の袋本体２と、袋本体２の周縁部に設けられるファスナー部３と、袋本体２に開口される足出穴４とを備え、ファスナー部３の閉鎖により、袋本体２を、人体の下半身を収容可能な袋Ｆにすることができ、かつ、袋Ｆとなった状態において、足出穴４から袋Ｆに収容される足先を露出できるよう構成する。これにより、下半身全体を効率的に保温することができ、下半身を保温したままの状態で、起立したり、歩行することができる。【選択図】      図１
2004230148.tif 000002
【特許請求の範囲】
【請求項１】
人体の下半身を収容可能な袋と、
前記袋に設けられ、前記袋から足を露出させるための足出穴と
を備える保温具。
【請求項２】
平布状の袋本体と、前記袋本体の周縁部に設けられるファスナー部と、前記袋本体に開口される足出穴とを備え、
前記ファスナー部の閉鎖により、前記袋本体を、人体の下半身を収容可能な袋にすることができ、かつ、前記袋となった状態において、前記足出穴から前記袋に収容される下半身の足を露出できるようにしたことを特徴とする、保温具。
【請求項３】
前記袋本体における前記足出穴とは反対側に、前記袋としたときに、人体の下半身に対して前記袋を緊締するためのベルト部材が設けられていることを特徴とする、請求項２に記載の保温具。
【請求項４】
前記袋本体は、巻回可能に構成されており、
前記袋本体には、前記袋本体を巻回状態で保持するための止め部材が設けられていることを特徴とする、請求項２または３に記載の保温具。
【請求項５】
前記袋本体は、防水性材料からなることを特徴とする、請求項２〜４のいずれかに記載の保温具。
【発明の詳細な説明】
【０００１】
【発明の属する技術分野】
本発明は、保温具、詳しくは、人体の下半身を保温するための保温具に関する。
【０００２】
【従来の技術】
従来より、机に向かって着席した状態での屋内における事務作業や、スポーツ観戦などの屋外における活動においては、例えば、膝掛けをかけるなどして、人体の下半身を保温している。
【０００３】
このような保温において、特に、屋外における活動においては、膝掛けなどを掛けるのみでは、十分な保温ができない場合がある。そのため、例えば、特許文献１に示すように、下半身全体を覆うような、保温具としての車椅子用防寒着が提案されている。
【０００４】
【特許文献１】
登録実用新案第３０８０２１７号公報
【発明が解決しようとする課題】
ところが、特許文献１に記載の車椅子用防寒着は、車椅子利用者のための保温具であり、足先を含む下半身全体を覆うようにしている。一方、このような保温具は、健常者も使用可能であるが、健常者が使用した場合には、着席した状態から起立したり、歩行したい場合がある。
【０００５】
しかし、このような足先を含む下半身全体を覆う保温具では、足先が袋の中にあるので、安定して起立できず、また、歩行も困難である。
【０００６】
そこで、本発明は、このような事情に鑑みなされたもので、その目的とするところは、下半身全体を効率的に保温することができ、かつ、保温した状態で、起立したり、歩行することのできる保温具を提供することにある。
【０００７】
【課題を解決するための手段】
上記目的を達成するため、請求項１に記載の発明は、保温具であって、人体の下半身を収容可能な袋と、前記袋に設けられ、前記袋から足を露出させるための足出穴とを備えることを特徴としている。
【０００８】
このような構成によると、袋内に下半身を収容することができるので、下半身全体を効率的に保温することができる。また、袋に設けられた足出穴から足を露出させれば、下半身を保温したままの状態で、起立したり、歩行することができる。
【０００９】
また、請求項２に記載の発明は、平布状の袋本体と、前記袋本体の周縁部に設けられるファスナー部と、前記袋本体に開口される足出穴とを備え、前記ファスナー部の閉鎖により、前記袋本体を、人体の下半身を収容可能な袋にすることができ、かつ、前記袋となった状態において、前記足出穴から前記袋に収容される下半身の足を露出できるようにしたことを特徴としている。
【００１０】
このような構成によると、袋本体の周縁部に設けられたファスナー部を閉鎖することにより、袋本体を袋状態とすることができる。そして、この袋内に下半身を収容することができるので、下半身全体を効率的に保温することができる。また、袋に設けられた足出穴から足を露出させれば、下半身を保温したままの状態で、起立したり、歩行することができる。
【００１１】
なお、ファスナー部を開放すれば、袋本体を、平布状とすることができるので、その状態で、ひざ掛けや掛け布団のようにして用いることもできる。
【００１２】
また、請求項３に記載の発明は、請求項２に記載の発明において、前記袋本体における前記足出穴とは反対側に、前記袋としたときに、人体の下半身に対して前記袋を緊締するためのベルト部材が設けられていることを特徴としている。
【００１３】
このような構成によると、袋状態とした袋本体に人体の下半身を収容して、袋本体における足出穴とは反対側に設けられたベルト部材を緊締することによって、保温具を人体の下半身に保持させることができる。そのため、起立や歩行した場合にも、保温具が下半身からずり落ちることを防止することができる。
【００１４】
また、請求項４に記載の発明は、請求項２または３に記載の発明において、前記袋本体は、巻回可能に構成されており、前記袋本体には、前記袋本体を巻回状態で保持するための止め部材が設けられていることを特徴としている。
【００１５】
このような構成によると、袋本体に設けられている止め部材により、袋本体を、巻回した状態で保持することができる。そのため、保温具をコンパクトに収容することができる。
【００１６】
また、請求項５に記載の発明は、請求項２〜４のいずれかに記載の発明において、前記袋本体は、防水性材料からなることを特徴としている。
【００１７】
このような構成によると、袋本体が防水性材料からなるので、雨降りの屋外において使用する場合などであっても、下半身を、濡らすことなく、保温することができる。
【００１８】
【発明の実施の形態】
図１および図２は、本発明の保温具の一実施形態を示す斜視図であって、図１は、袋本体を展開した状態を示す斜視図であり、図２は、袋本体を袋状にした状態を示す斜視図である。また、図３は、図１に示す袋本体のＡ−Ａ線における断面図であり、図４は、図２に示す袋本体のＢ−Ｂ線における断面図である。
【００１９】
この保温具１は、袋本体２、ファスナー部３および足出穴４を備えている。また、袋本体２には、ベルト部材５が設けられている。
【００２０】
袋本体２は、図１に示すように、平面視略矩形の平布状に形成されている。また、袋本体２は、図３に示すように、たとえば、羽毛や綿などの公知の保温材からなる芯材６が、たとえば、フッ素系繊維や疎水性化学繊維などの公知の防水性材料からなる布材７により被覆されるサンドイッチ構造から形成されている。また、この袋本体２は、図２に示すように、長手方向中央から、その長手方向の両端部が対向状に重ね合わされる２つ折りができるように形成されている。また、２つ折りにされた一方の部分（以下、一方の部分を表部分８、他の部分を裏部分９とする。）には、２つのポケット１０が並列状に設けられている。
【００２１】
ファスナー部３は、袋本体２の周縁部に設けられる１対のエレメント列１１と、エレメント列１１を開閉する２つのスライダー１２とを備えている。
【００２２】
エレメント列１１は、図１に示すように、袋本体２の長手方向中央における一端側を始点１１ａとして、２つ折りにして重ね合わせる表部分８と裏部分９とに対称に設けられており、始点１１ａから長手方向に沿う下エレメント列１３、下エレメント列１３の終点１３ｂから幅方向（長手方向に直交する方向）に沿う縦エレメント列１４、縦エレメント列１４の終点１４ｂから長手方向に沿う上エレメント列１５が、連続して一体的に形成されている。なお、上エレメント列１５は、長手方向途中までしか形成されていない。
【００２３】
スライダー１２は、下エレメント列１３の始点１３ａ（すなわち、エレメント列１１の始点１１ａ）を使用開始位置として、ダブルファスナーとして２つ設けられている。
【００２４】
足出穴４は、袋本体２における幅方向一方側であって、長手方向中央と、一方側端部とに２つ形成されている。この足出穴４は、略楕円状をなし、図３に示すように、袋本体２を貫通するように形成されている。また、各足出穴４には、布からなる略円筒状の足出筒１６が設けられている。
【００２５】
ベルト部材５は、図５に示すように、細長状のベルト本体１７と、ベルト本体１７の長手方向一方端部側に設けられる雄型係合部材１８と、ベルト本体１７の長手方向他方端部に設けられる雌型係合部材１９と、ベルト本体１７の雄型係合部材１８と雌型係合部材１９との間の長手方向途中で、雄型係合部材１８側に設けられる長さ調節部材２０とを備えている。
【００２６】
ベルト本体１７は、図１に示すように、袋本体２における足出穴４の反対側の幅方向他方側端部において、袋本体２の長手方向に沿って設けられており、長手方向中央において、袋本体２の内部を挿通するようにして固定されている。
【００２７】
雄型係合部材１８および雌型係合部材１９は、図５に示すように、それぞれ樹脂で形成されており、雄型係合部材１８の先端部を雌型係合部材１９に挿嵌して、係合させることができるように構成されている。
【００２８】
長さ調節部材２０は、樹脂で形成されており、ベルト本体１７を挿通および巻回することにより、ベルト本体１７の長さを調節できるように構成されている。
【００２９】
そして、この保温具１において、図１に示すような、袋本体２の展開状態から、図２に示す袋状とするには、まず、袋本体２を、長手方向中央を境として、表部分８および裏部分９が対向するように、２つ折りにする。そうすると、袋本体２の周縁部に設けられたファスナー部３において、表部分８の下エレメント列１３、縦エレメント列１４および上エレメント列１５が、それぞれ、裏部分９の下エレメント列１３、縦エレメント列１４および上エレメント列１５と対向する。
【００３０】
次いで、使用開始位置にある一方のスライダー１２を、対向した下エレメント列１３同士の終点１３ｂに向かって引っ張ると、スライダー１２が通過した部分の下エレメント列１３同士が噛合して、スライダー１２が下エレメント列１３の終点１３ｂに到達したとき、下エレメント列１３が閉鎖される。
【００３１】
そして、下エレメント列１３の終点１３ｂ、すなわち、縦エレメント列１４の始点１４ａにあるスライダー１２を、次に、対向した縦エレメント列１４同士の終点１４ｂに向かって引っ張ると、スライダー１２が通過した部分の縦エレメント列１４同士が噛合して、スライダー１２が縦エレメント列１４の終点１４ｂに到達したとき、縦エレメント列１４が閉鎖される。
【００３２】
これによって、上エレメント列１５を除くファスナー部３が閉鎖され、平布状の袋本体２を、人体の下半身を収容可能な袋Ｆとすることができる。この状態において、２つの足出穴４は、袋Ｆにおける長手方向一方側端部において、幅方向両側に配置され、より具体的には、一方の足出穴４は、２つ折りにされた袋本体２の境（折り目部分）に位置し、他方の足出穴４は、２つ折りにされた袋本体２の表部分８に位置する。したがって、図４に示すように、一方の足出穴４に設けられた足出筒１６は、袋Ｆの側方に向かって突出し、他方の足出穴４に設けられた足出筒１６は、袋Ｆの前方に向かって突出する状態となる（図４の実線参照）。このように突出した各足出筒１６は、それぞれの向きを変更することができる。すなわち、側方に向かって突出した一方の足出筒１６を、袋Ｆの前方に突出させ、表部分８の前方に向かって突出した他方の足出筒１６を、袋Ｆの側方に突出させることによって、それぞれの向き変更することができる（図４の破線参照）。このようにして、袋Ｆから突出する各足出筒１６の向きを容易に変更することができるので、この保温具１を使用する場合には、足出穴４の位置を適切に変更して使用することができる。また、このように、各足出穴４に足出筒１６を設けることによって、足先の出し入れをスムーズに行なうことができ、さらに、後述するように、足先を袋Ｆ内に収容する場合には、足出筒１６が袋Ｆ内に収容され、袋Ｆの内部の密閉度を向上させることができる。
【００３３】
次いで、このように袋Ｆとした保温具１の使用方法について、図６ないし図９を参照して説明する。
【００３４】
まず、保温具１を着用する場合には、図６に示すように、袋Ｆにおいて、閉鎖していない上エレメント列１５側に形成される開口部から、人体の下半身全体を収容し、各足出穴４から足先を露出させる。なお、各足出穴４から足先を露出させなくてもよい。
【００３５】
次いで、図７に示すように、袋本体２に設けられるベルト部材５の雄型係合部材１８を雌型係合部材１９に挿嵌して係合させ、ベルト本体１７の長さを、長さ調節部材２０で調節し、人体の下半身に対して袋Ｆを緊締する。これにより、保温具１を下半身に保持させることができる。
【００３６】
このようにして、この保温具１を人体の下半身に着用すれば、下半身全体を効率的に保温することができる。また、たとえば、図８に示すように、机に向かって着席した状態での屋内における事務作業においては、足出穴４から足先を露出せずに、袋Ｆに足先を収容することによって、足出筒１６が袋Ｆ内に収容されて、袋Ｆ内の密閉度が向上され、下半身全体を効率的に保温しつつ、事務作業を行なうことができる。
【００３７】
また、着席した状態から起立したい場合には、足出穴４から足先を露出させれば、下半身を保温したままの状態で、容易に起立して歩行することができる。
【００３８】
たとえば、スポーツ観戦などの屋外における活動においては、足出穴４から足先を露出させれば、図９に示すように、着席した状態から、容易に起立することができ、さらに、歩行することも可能となる。
【００３９】
また、この保温具１は、上記したように、ベルト部材５によって、人体の下半身に対して緊締されているので、下半身を保温したままの状態で起立しても、保温具１がずり落ちることなく、保温具１を人体の下半身に保持することができる。
【００４０】
また、この袋本体２は、防水性材料からなる布材７により、保温材からなる芯材６が被覆されているので、雨降りの屋外であっても、下半身を濡らすことなく保温することができる。
【００４１】
なお、この保温具１には、表部分８にポケット１０が設けられているので、図９に示すように、適宜、携帯電話Ｔなどの小物を収容することができる。
【００４２】
また、着用した保温具１を人体の下半身から脱衣する場合には、まず、緊締したベルト部材５を緩めて、雄型係合部材１８と雌型係合部材１９との係合を解除し、袋Ｆの開口部を十分に緩める。
【００４３】
そして、各足出穴４から足先が露出している場合には、その露出している足先を、各足出穴４から袋Ｆ内に収容して、袋Ｆに収容されている人体の下半身を、その開口部から脱離させる。これによって、保温具１を、人体の下半身から脱衣させることができる。
【００４４】
また、保温具１を使用した後は、袋Ｆの縦エレメント列１４の終点１４ｂにあるスライダー１２を、縦エレメント列１４の始点１４ａに向かって引っ張って、縦エレメント列１４の始点１４ａにスライダー１２を位置させることによって、縦エレメント列１４を開放する。次いで、縦エレメント列１４の始点１４ａ、すなわち、下エレメント列１３の終点１３ｂに位置するスライダー１２を、下エレメント列１３の始点１３ａに向かって引っ張って、下エレメント列１３の始点１３ａにスライダー１２を位置させることによって、下エレメント列１３を開放する。このようにして、ファスナー部３を全て開放して、袋本体２を平布状に展開する。
【００４５】
袋本体２を平布状に展開した状態では、たとえば、図１０に示すように、この保温具１は、ひざ掛けとしても用いることができる。また、この保温具１は、図１１に示すように、袋本体２の長手方向から、人体に掛けることによって、人体の上半身および下半身を同時に覆う掛け布団のようにしても用いることができる。
【００４６】
また、この保温具１を使用しない場合には、保温具１を巻回した状態で、止め部材２１を用いて保持することができる。
【００４７】
止め部材２１は、たとえば、マジックテープ（登録商標）や、上記したベルト部材５と同様のものなどで構成されている。この止め部材２１は、袋本体２を巻回した状態のままで保持できるように、袋本体２の所定の位置に設けられている。
【００４８】
そして、たとえば、図１２（ａ）に示すように、展開状態とした袋本体２の長手方向中央を境として、袋本体２を２つ折りにして、さらに、２つ折りにした袋本体２の幅方向中央を境として２つ折りにして、袋本体２を全体として４つ折りにする。このようにして、４つ折りとした袋本体２の一方端部から、袋本体２を、巻回することによって、円筒状とする。
【００４９】
次いで、図１２（ｂ）に示すように、円筒状の袋本体２を、袋本体２に設けられた止め部材２１によって、巻回された状態のままで保持する。そうすると、平布状の袋本体２を、コンパクトにすることができ、このような袋本体２を、別途用意した収容袋２２に収容することにより、図１２（ｃ）に示すように、コンパクトに収容することができる。
【００５０】
以上、本発明の保温具の一実施形態について説明したが、この保温具１は、上記した実施形態以外の実施形態でも実施することができる。たとえば、上記の実施形態では、下エレメント列１３、縦エレメント列１４および上エレメント列１５が一体的に形成されたファスナー部３を、平布状の袋本体２の周縁部に設けて、足出穴４を、袋本体２における幅方向一方側であって、長手方向中央と、一方側端部とに２つ形成したが、たとえば、下エレメント列および縦エレメント列が独立して形成されたファスナー部３を、平布状の袋本体２の周縁部に設けて、足出穴４を、袋本体２の表部分８および裏部分９における長手方向一方側の幅方向中央に、それぞれ形成してもよい。これによって、図１３に示すように、袋本体２を袋Ｆとした場合において、２つの足出穴４の間における中間位置に、ファスナー部３（縦エレメント列１４）を配置させることができる。こうすれば、一方のスライダー１２によって縦エレメント列１４を閉鎖し、他方のスライダー１２によって、縦エレメント列１４の下側の一部を開放することができる。そのため、足出穴４からだけでなく、開放された縦エレメント列１４側から足先を露出することができる。
【００５１】
また、上記の実施形態では、ファスナー部３に、ダブルファスナーとして、２つのスライダー１２が設けられ、一方のスライダー１２を引っ張ることによって、下エレメント列１３および縦エレメント列１４を閉鎖して、足出穴４から足先を露出させることができるが、一方のスライダー１２を引っ張ることによって、下エレメント列１３および縦エレメント列１４を閉鎖して、さらに、他方のスライダー１２を、下エレメント列１３の終点１３ｂまで引っ張ることにより、縦エレメント列１４を閉鎖した状態で、下エレメント列１３を開放することによって、足出穴４から足先を露出せずに、袋Ｆの下側の下エレメント列１３側から足先を露出させることもできる。
【００５２】
また、上記の保温具１は、リバーシブルとして使用することもできる。すなわち、上記の実施形態では、袋本体２を袋Ｆとする場合に、表部分８のポケット１０が設けられた側が外側となるように、袋本体２を、表部分８と裏部分９とを重ね合わせるように２つ折りにしたが、表部分８のポケット１０が設けられた側が内側となるように、袋本体２を、表部分８と裏部分９とを重ね合わせるように２つ折りにして用いてもよい。
【００５３】
また、上記の実施形態では、ベルト部材５として、雄型係合部材１８および雌型係合部材１９とを挿嵌して係合させる構成のものを用いたが、たとえば、マジックテープ（登録商標）などを用いてもよい。
【００５４】
また、上記の実施形態では、袋本体２に、ポケット１０を設けたが、ポケット１０以外のファスナー付きのポケットを設けてもよい。
【００５５】
【発明の効果】
請求項１に記載の発明によれば、下半身全体を効率的に保温することができ、下半身を保温したままの状態で、起立したり、歩行することができる。
【００５６】
請求項２に記載の発明によれば、下半身全体を効率的に保温することができ、下半身を保温したままの状態で、起立したり、歩行することができる。
【００５７】
請求項３に記載の発明によれば、保温具を人体の下半身に保持させることができ、起立や歩行した場合にも、保温具が下半身からずり落ちることを防止することができる。
【００５８】
請求項４に記載の発明によれば、袋本体を、巻回した状態で保持することができ、保温具をコンパクトに収容することができる。
【００５９】
請求項５に記載の発明によれば、下半身を、濡らすことなく、保温することができる。
【図面の簡単な説明】
【図１】袋本体を展開した状態を示す斜視図である。
【図２】袋本体を袋状にした状態を示す斜視図である。
【図３】図１に示す袋本体のＡ−Ａ線における断面図である。
【図４】図２に示す袋本体のＢ−Ｂ線における断面図である。
【図５】ベルト部材を示す正面図である。
【図６】保温具の使用状態（ベルト部材を緊締する前の状態）を示す斜視図である。
【図７】保温具の使用状態（ベルト部材を緊締した後の状態）を示す斜視図である。
【図８】着席した使用状態を示す保温具の側断面図である。
【図９】保温具を着用した状態で、着席および起立した状態を示す図である。
【図１０】保温具のその他の使用状態（ひざ掛けとして使用した状態）を説明するための図である。
【図１１】保温具のその他の使用状態（掛け布団として使用した状態）を説明するための図である。
【図１２】保温具の収容手順を示す図であり、図１２（ａ）は、袋本体の巻回する状態を示す斜視図、図１２（ｂ）は、巻回した袋本体を、止め部部材によって保持して、収容袋に収容する状態を示す図、および、図１２（ｃ）は、袋本体を収容袋に収容した状態を示す図である。
【図１３】保温具の他の実施形態を示す斜視図である。
【符号の説明】
１    保温具
２    袋本体
３    ファスナー部
４    足出穴
５    ベルト部材
２１  止め部材
【図１】
2004230148.tif 000003
【図２】
2004230148.tif 000004
【図３】
2004230148.tif 000005
【図４】
2004230148.tif 000006
【図５】
2004230148.tif 000007
【図６】
2004230148.tif 000008
【図７】
2004230148.tif 000009
【図８】
2004230148.tif 000010
【図９】
2004230148.tif 000011
【図１０】
2004230148.tif 000012
【図１１】
2004230148.tif 000013
【図１２】
2004230148.tif 000014
【図１３】
2004230148.tif 000015